(57)【要約】【課題】  ＥＰＣ情報管理システムにおいて、ＥＰＣＩＳサーバが蓄積しているタグ情報への情報処理を許可するＳａｖａｎｔサーバの管理を簡易に行う。【解決手段】  ＳＩＰサーバ２０は、Ｓａｖａｎｔサーバ３０から位置情報登録信号を受信すると、Ｓａｖａｎｔサーバ３０の正当性の確認後、新規登録監視信号を送信したＥＰＣＩＳサーバ１０へＳａｖａｎｔサーバ３０のアドレスを通知する。ＥＰＣＩＳサーバ１０は、受信したアドレスを用いてインスタンスを生成する。Ｓａｖａｎｔサーバ３０は、ＩＣタグリーダ５０がＩＣタグ４０から読取った情報を含むタグ読取り情報を、ＯＮＳサーバ６０から取得したＥＰＣＩＳサーバ１０のアドレスを用いて送信する。ＥＰＣＩＳサーバ１０は、タグ読取り情報の送信元のＳａｖａｎｔサーバ３０のアドレスによるインスタンスが生成されている場合のみ、タグ読取り情報により内部に保持しているタグ情報を更新する。【選択図】    図１
2006331195.tif 000002
【特許請求の範囲】
【請求項１】
情報蓄積装置と、登録管理装置と、情報処理要求装置と、各装置間を接続するネットワークとを備える情報管理システムであって、
前記情報蓄積装置は、
可搬の情報記録媒体に関する情報と、情報記録媒体識別情報とを対応づけて記憶する情報記憶手段と、
自身のアドレス情報を含む新規登録監視信号を前記登録管理装置へ送信する新規登録監視送信手段と、
登録された情報処理要求装置のアドレス情報を含む登録通知信号を前記登録管理装置から受信する登録通知受信手段と、
前記情報処理要求装置から当該情報処理要求装置のアドレス情報と、可搬の情報記録媒体から読取られた情報記録媒体識別情報とを少なくとも含む読取り情報通知信号を受信し、受信した読取り情報通知信号内の情報処理要求装置のアドレス情報が、前記登録通知受信手段により受信した登録通知信号内の情報処理要求装置のアドレス情報と一致する場合に、受信した読取り情報通知信号内の情報記録媒体識別情報により特定される前記情報記憶手段内の情報に対する情報処理を許可する読取り情報受信手段とを備え、
前記登録管理装置は、
前記情報蓄積装置から当該情報蓄積装置のアドレス情報を含む新規登録監視信号を受信する新規登録監視受信手段と、
前記情報処理要求装置から当該情報処理要求装置のアドレス情報を含む登録信号を受信する登録受信手段と、
前記登録受信手段により受信した登録信号内の情報処理要求装置のアドレス情報を含む登録通知信号を、前記新規登録監視受信手段により受信した新規登録監視信号内の情報蓄積装置のアドレス情報を送信先として送信する登録通知送信手段とを備え、
前記情報処理要求装置は、
自身のアドレス情報を含む登録信号を前記登録管理装置へ送信する登録送信手段と、
可搬の情報記録媒体から読取られた情報記録媒体識別情報を受信し、自身のアドレス情報と、受信した情報記録媒体識別情報とを少なくとも含む読取り情報通知信号を、前記情報記録媒体識別情報に対応する情報を保持する情報蓄積装置へ送信する読取り情報送信手段とを備える、
ことを特徴とする情報管理システム。
【請求項２】
前記登録通知送信手段は、さらに、前記登録通知信号の送信先である情報蓄積装置のアドレス情報を、前記登録信号の送信元の情報処理要求装置へ通知する、
ことを特徴とする請求項１に記載の情報管理システム。
【請求項３】
前記読取り情報送信手段は、受信した情報記録媒体識別情報に対応する情報を保持する情報蓄積装置のアドレス情報が、前記登録管理装置から受信した情報蓄積装置のアドレス情報と一致する場合に、前記読取り情報通知信号を送信する、
ことを特徴とする請求項２に記載の情報管理システム。
【請求項４】
前記新規登録監視信号、前記登録信号、前記登録通知信号、及び、情報処理要求装置への情報蓄積装置のアドレス情報の通知は、ＳＩＰプロトコルの位置情報登録に関する信号である、
ことを特徴とする請求項２または請求項３に記載の情報管理システム。
【請求項５】
前記登録通知送信手段は、前記登録通知信号を、前記情報処理要求装置のアドレス情報に対応する情報蓄積装置から受信した新規登録監視信号内の情報蓄積装置のアドレス情報を送信先として送信する、
ことを特徴とする請求項１から請求項４のいずれかの項に記載の情報管理システム。
【請求項６】
前記登録管理装置は、正当な情報処理要求装置のアドレス情報を記憶する管理情報記憶手段をさらに備え、
前記登録通知送信手段は、前記登録受信手段により受信した登録信号内の情報処理要求装置のアドレス情報が前記管理情報記憶手段内に登録されている場合に、前記登録通知信号を送信する、
ことを特徴とする請求項１から請求項５のいずれかの項に記載の情報管理システム。
【請求項７】
前記可搬の情報記録媒体は、ＩＣタグであることを特徴とする請求項１から請求項６のいずれかの項に記載の情報管理システム。
【請求項８】
情報蓄積装置と、登録管理装置と、情報処理要求装置と、各装置間を接続するネットワークとを備える情報管理システムに用いられる情報処理要求装置管理方法であって、
前記情報蓄積装置は、
可搬の情報記録媒体に関する情報と、情報記録媒体識別情報とを対応づけて記憶する情報記憶手段を備えており、
前記情報蓄積装置が、
自身のアドレス情報を含む新規登録監視信号を前記登録管理装置へ送信する新規登録監視送信ステップと、
前記登録管理装置が、
前記情報蓄積装置から当該情報蓄積装置のアドレス情報を含む新規登録監視信号を受信する新規登録監視受信ステップと、
前記情報処理要求装置が、
自身のアドレス情報を含む登録信号を前記登録管理装置へ送信する登録送信ステップと、
前記登録管理装置が、
前記情報処理要求装置から当該情報処理要求装置のアドレス情報を含む登録信号を受信する登録受信ステップと、
前記登録受信ステップにおいて受信した登録信号内の情報処理要求装置のアドレス情報を含む登録通知信号を、前記新規登録監視受信ステップにおいて受信した新規登録監視信号内の情報蓄積装置のアドレス情報を送信先として送信する登録通知送信ステップと、
前記情報蓄積装置が、
登録された情報処理要求装置のアドレス情報を含む登録通知信号を前記登録管理装置から受信する登録通知受信ステップと、
前記情報処理要求装置が、
可搬の情報記録媒体から読取られた情報記録媒体識別情報を受信し、自身のアドレス情報と、受信した情報記録媒体識別情報とを少なくとも含む読取り情報通知信号を、前記情報記録媒体識別情報に対応する情報を保持する情報蓄積装置へ送信する読取り情報送信ステップと、
前記情報蓄積装置が、
前記情報処理要求装置から当該情報処理要求装置のアドレス情報と、可搬の情報記録媒体から読取られた情報記録媒体識別情報とを少なくとも含む読取り情報通知信号を受信し、受信した読取り情報通知信号内の情報処理要求装置のアドレス情報が、前記登録通知受信ステップにおいて受信した登録通知信号内の情報処理要求装置のアドレス情報と一致する場合に、受信した読取り情報通知信号内の情報記録媒体識別情報により特定される前記情報記憶手段内の情報に対する情報処理を許可する読取り情報受信ステップと、
を有することを特徴とする情報処理要求装置管理方法。
【発明の詳細な説明】
【技術分野】
【０００１】
本発明は、情報管理システム、及び、情報処理要求装置管理方法に関する。
【背景技術】
【０００２】
従来、商品や段ボール等のモノにＩＣ（Integrated Circuit）タグを貼付し、このＩＣタグを利用してモノの管理を行うＥＰＣ（Electronic Product Code）情報管理システムがある（例えば、非特許文献１参照）。
【０００３】
図１０は、従来のＥＰＣ情報管理システムの全体構成及び動作概要を示す図である。ＥＰＣ情報管理システムは、無線ＩＣタグ、リーダ／ライタ、Ｓａｖａｎｔサーバ、ＯＮＳ（Object Name Service）サーバ、ＥＰＣＩＳ（Electronic Product Code Information Service）サーバ、及び、サーバ間を接続するインターネットなどのネットワークからなる。例えば、管理するモノが製品である場合、各製造メーカにおいて、自身の提供する製品の製造や流通等に関する製品情報を蓄積するＥＰＣＩＳサーバを有する。また、Ｓａｖａｎｔサーバは、製品の製造、流通等の各拠点に設置される。同図に示す従来のＥＰＣ情報管理システムにおける情報管理の手順及び情報の流れは以下の通りである。
【０００４】
まず、リーダ／ライタは、管理対象のモノに貼付された無線ＩＣタグからＥＰＣ等の情報を読取る（ステップＳ９１０）。ＥＰＣとは、モノに個々に割り当てられたユニークな番号であり、モノを一意に識別する。リーダ／ライタが読取った情報は、Ｓａｖａｎｔサーバに集約される（ステップＳ９２０）。Ｓａｖａｎｔサーバは、ＯＮＳサーバへアクセスしてＥＰＣを送信する。ＯＮＳサーバは、モノに関する情報であるタグ情報を蓄積しているＥＰＣＩＳサーバのＩＰアドレスと、ＥＰＣとを対応付けて記憶している。ＯＮＳサーバは、Ｓａｖａｎｔサーバから受信したＥＰＣに対応するＥＰＣＩＳサーバのＩＰアドレスを返送する（ステップＳ９３０）。
【０００５】
ＳａｖａｎｔサーバはＯＮＳサーバから取得したＩＰアドレスを用い、ネットワークを経由してＥＰＣＩＳサーバへアクセスし、リーダ／ライタから受信したタグ読取り情報を送信する（ステップＳ９４０）。ＥＰＣＩＳサーバは、Ｓａｖａｎｔサーバから受信したタグ読取り情報により、内部に記憶しているタグ情報を更新する（ステップＳ９５０）。例えば、タグ読取り情報には、ＥＰＣ、イベント等の情報が含まれる。流通の場合、イベントには、出荷、入荷などがある。また、タグ読取り情報の送信元のＳａｖａｎｔサーバによりモノの位置を特定することができるため、イベントが発生した流通拠点などの情報を保持することもできる。より詳細な位置情報を得るためには、リーダ／ライタの読取り情報を使用することもできる。
【０００６】
また、従来、標準化されたＶｏＩＰ（Voice over IP）プロトコルであるＳＩＰ（Session Initiation Protocol）を実装したＳＩＰサーバが有するユーザ認証、セッション管理、課金の機能を活かして、アプリケーションサービスを提供する方法がある（例えば、特許文献１参照）。
【特許文献１】特開２００５−７３２３６号公報
【非特許文献１】瀬川  弘司著、「無線ＩＣタグのすべて  ゴマ粒タグでビジネスが変わる」、日経ＢＰ社、２００４年４月２０日、ｐｐ．１５２−１５５
【発明の開示】
【発明が解決しようとする課題】
【０００７】
非特許文献１に示す従来の技術においては、以下に示す問題がある。
すなわち、ＥＰＣＩＳサーバは、情報の送信を許可すべきＳａｖａｎｔサーバの認識を行う構成にはなっていない。従って、Ｓａｖａｎｔサーバから送信される情報を全て信用して、タグ情報を更新してしまう。例え、リーダ／ライタがＩＣタグ内の情報を読取り、ＯＮＳサーバにおいてアドレス解決がなされたとしても、当該Ｓａｖａｎｔサーバにおいて、リーダ／ライタの検出した情報を信用して問題ないかの判断をしなければ、不正な情報によりＥＰＣＩＳサーバ内のタグ情報を更新してしまう恐れがある。
しかし、これを避けるために、情報の送信を許可すべきＳａｖａｎｔサーバの認識をＥＰＣＩＳサーバ側で行う構成としてしまうと、ＥＰＣＩＳサーバに情報送信を許可すべきＳａｖａｎｔサーバの事前登録が必要となってしまう。この場合、Ｓａｖａｎｔサーバの増設、減設時に、全てのＥＰＣＩＳサーバにおいて情報の送信を許可すべきＳａｖａｎｔサーバの情報を更新しなければならない。これは煩雑であり、柔軟な対応も出来ない。
【０００８】
また、特許文献１において認証やセッション管理に用いられるＩＮＶＩＴＥメッセージは、本来、ＶｏＩＰの呼制御を開始する際に使用するＳＩＰプロトコルのメッセージであり、完全にセッション交換（発信し、通話先に着信する）を必要とする信号シーケンスまで至らなければならない。しかし、Ｓａｖａｎｔサーバ−ＥＰＣＩＳサーバ間の通信は、セッション交換を必要としない。ＳＩＰプロトコルにおいては、セッションの情報を記述したプロトコルであるＳＤＰ（session description protocol）が、音声データの送受信に用いられるポート番号や相互の端末能力交換のために必要となる。しかし、ＳＤＰを、単なる要求及び応答のみで終了するような情報通知に適用した場合、メッセージ・信号数が増大してしまい、端末数の増加に伴って、ネットワークを構成するルータの性能や、ネットワークの増強が必要となってしまう。また、特許文献１においては、呼制御サーバの持つセッション管理や課金機能管理を使用しているが、Ｓａｖａｎｔサーバ−ＥＰＣＩＳサーバ間において必要とする情報はＳａｖａｎｔサーバの位置情報のみである。
【０００９】
この発明は、このような事情を考慮してなされたもので、その目的は、ＥＰＣ情報管理システムにおいて、ＥＰＣＩＳサーバが蓄積しているタグ情報への情報処理を許可するＳａｖａｎｔサーバの管理を簡易な手順により行うことができ、さらには、Ｓａｖａｎｔサーバの増設や減設等にも柔軟に対応することができる情報管理システム、及び、情報処理要求装置管理方法を提供することにある。
【課題を解決するための手段】
【００１０】
上記目的を達成するために、本発明は、情報蓄積装置と、登録管理装置と、情報処理要求装置と、各装置間を接続するネットワークとを備える情報管理システムであって、前記情報蓄積装置は、可搬の情報記録媒体に関する情報と、情報記録媒体識別情報とを対応づけて記憶する情報記憶手段と、自身のアドレス情報を含む新規登録監視信号を前記登録管理装置へ送信する新規登録監視送信手段と、登録された情報処理要求装置のアドレス情報を含む登録通知信号を前記登録管理装置から受信する登録通知受信手段と、前記情報処理要求装置から当該情報処理要求装置のアドレス情報と、可搬の情報記録媒体から読取られた情報記録媒体識別情報とを少なくとも含む読取り情報通知信号を受信し、受信した読取り情報通知信号内の情報処理要求装置のアドレス情報が、前記登録通知受信手段により受信した登録通知信号内の情報処理要求装置のアドレス情報と一致する場合に、受信した読取り情報通知信号内の情報記録媒体識別情報により特定される前記情報記憶手段内の情報に対する情報処理を許可する読取り情報受信手段とを備え、前記登録管理装置は、前記情報蓄積装置から当該情報蓄積装置のアドレス情報を含む新規登録監視信号を受信する新規登録監視受信手段と、前記情報処理要求装置から当該情報処理要求装置のアドレス情報を含む登録信号を受信する登録受信手段と、前記登録受信手段により受信した登録信号内の情報処理要求装置のアドレス情報を含む登録通知信号を、前記新規登録監視受信手段により受信した新規登録監視信号内の情報蓄積装置のアドレス情報を送信先として送信する登録通知送信手段とを備え、前記情報処理要求装置は、自身のアドレス情報を含む登録信号を前記登録管理装置へ送信する登録送信手段と、可搬の情報記録媒体から読取られた情報記録媒体識別情報を受信し、自身のアドレス情報と、受信した情報記録媒体識別情報とを少なくとも含む読取り情報通知信号を、前記情報記録媒体識別情報に対応する情報を保持する情報蓄積装置へ送信する読取り情報送信手段とを備える、ことを特徴とする情報管理システムである。
【００１１】
また、本発明は、上述する情報管理システムであって、前記登録通知送信手段は、さらに、前記登録通知信号の送信先である情報蓄積装置のアドレス情報を、前記登録信号の送信元の情報処理要求装置へ通知する、ことを特徴とする。
【００１２】
また、本発明は、上述する情報管理システムであって、前記読取り情報送信手段は、受信した情報記録媒体識別情報に対応する情報を保持する情報蓄積装置のアドレス情報が、前記登録管理装置から受信した情報蓄積装置のアドレス情報と一致する場合に、前記読取り情報通知信号を送信する、ことを特徴とする。
【００１３】
また、本発明は、上述する情報管理システムであって、前記新規登録監視信号、前記登録信号、前記登録通知信号、及び、情報処理要求装置への情報蓄積装置のアドレス情報の通知は、ＳＩＰプロトコルの位置情報登録に関する信号である、ことを特徴とする。
【００１４】
また、本発明は、上述する情報管理システムであって、前記登録通知送信手段は、前記登録通知信号を、前記情報処理要求装置のアドレス情報に対応する情報蓄積装置から受信した新規登録監視信号内の情報蓄積装置のアドレス情報を送信先として送信する、ことを特徴とする。
【００１５】
また、本発明は、上述する情報管理システムであって、前記登録管理装置は、正当な情報処理要求装置のアドレス情報を記憶する管理情報記憶手段をさらに備え、前記登録通知送信手段は、前記登録受信手段により受信した登録信号内の情報処理要求装置のアドレス情報が前記管理情報記憶手段内に登録されている場合に、前記登録通知信号を送信する、ことを特徴とする。
【００１６】
また、本発明は、上述する情報管理システムであって、前記可搬の情報記録媒体は、ＩＣタグであることを特徴とする。
【００１７】
また、本発明は、情報蓄積装置と、登録管理装置と、情報処理要求装置と、各装置間を接続するネットワークとを備える情報管理システムに用いられる情報処理要求装置管理方法であって、前記情報蓄積装置は、可搬の情報記録媒体に関する情報と、情報記録媒体識別情報とを対応づけて記憶する情報記憶手段を備えており、前記情報蓄積装置が、自身のアドレス情報を含む新規登録監視信号を前記登録管理装置へ送信する新規登録監視送信ステップと、前記登録管理装置が、前記情報蓄積装置から当該情報蓄積装置のアドレス情報を含む新規登録監視信号を受信する新規登録監視受信ステップと、前記情報処理要求装置が、自身のアドレス情報を含む登録信号を前記登録管理装置へ送信する登録送信ステップと、前記登録管理装置が、前記情報処理要求装置から当該情報処理要求装置のアドレス情報を含む登録信号を受信する登録受信ステップと、前記登録受信ステップにおいて受信した登録信号内の情報処理要求装置のアドレス情報を含む登録通知信号を、前記新規登録監視受信ステップにおいて受信した新規登録監視信号内の情報蓄積装置のアドレス情報を送信先として送信する登録通知送信ステップと、前記情報蓄積装置が、登録された情報処理要求装置のアドレス情報を含む登録通知信号を前記登録管理装置から受信する登録通知受信ステップと、前記情報処理要求装置が、可搬の情報記録媒体から読取られた情報記録媒体識別情報を受信し、自身のアドレス情報と、受信した情報記録媒体識別情報とを少なくとも含む読取り情報通知信号を、前記情報記録媒体識別情報に対応する情報を保持する情報蓄積装置へ送信する読取り情報送信ステップと、前記情報蓄積装置が、前記情報処理要求装置から当該情報処理要求装置のアドレス情報と、可搬の情報記録媒体から読取られた情報記録媒体識別情報とを少なくとも含む読取り情報通知信号を受信し、受信した読取り情報通知信号内の情報処理要求装置のアドレス情報が、前記登録通知受信ステップにおいて受信した登録通知信号内の情報処理要求装置のアドレス情報と一致する場合に、受信した読取り情報通知信号内の情報記録媒体識別情報により特定される前記情報記憶手段内の情報に対する情報処理を許可する読取り情報受信ステップと、を有することを特徴とする情報処理要求装置管理方法である。
【発明の効果】
【００１８】
本発明によれば、登録管理装置において正当な情報処理要求装置（Ｓａｖａｎｔサーバ）の情報を管理し、情報蓄積装置（ＥＰＣＩＳサーバ）は、登録管理装置から通知された情報処理要求装置のアドレス情報により、情報処理要求装置から受信した信号の正当性を確認する。これにより、情報蓄積装置は、登録管理装置において保証された情報処理要求装置からの信号のみを正当な信号として扱うことができる。従って、簡易な手順により情報処理要求装置の正当性を認識できるとともに、システム構成の変更に柔軟に対応することができる。また、情報処理要求装置を登録する手順のみに、ＳＩＰプロトコルの位置情報登録に関する信号を用いるため、情報記録媒体に関する情報への情報処理を行うための信号には、従来と同じプロトコルを用いることができ、既存の情報処理要求装置の活用促進が可能となる。
また、情報処理要求装置のアドレスがエリア毎に異なっている場合、登録管理装置は、情報処理要求装置のアドレスに対応した情報蓄積装置へのみ情報処理要求装置のアドレス情報を通知する。これにより、情報蓄積装置において、アドレスを限定した登録監視を行うことができる。
【発明を実施するための最良の形態】
【００１９】
以下、図面を参照し、この発明の実施の形態について説明する。
図１は、この発明の一実施の形態による情報管理システムとしてのＥＰＣ（Electronic Product Code）情報管理システムの全体構成を示す図である。
ＥＰＣ情報管理システムは、可搬の情報記録媒体としてのＩＣ（Integrated Circuit）タグ４０、リーダ／ライタとしてのＩＣタグリーダ５０、情報処理要求装置としてのＳａｖａｎｔサーバ３０、アドレス解決装置としてのＯＮＳ（Object Name Service）サーバ６０、情報蓄積装置としてのＥＰＣＩＳ（Electronic Product Code Information Service）サーバ１０、登録管理装置としてのＳＩＰサーバ２０、及び、サーバ間を接続するネットワークＮからなる。ネットワークＮは、例えば、インターネットなどの公衆網である。
【００２０】
図２は、図１に示すＥＰＣ情報管理システムの動作概要を示す図である。
ＥＰＣＩＳサーバ１０は、ＳＩＰサーバ２０へ、Ｓａｖａｎｔサーバ３０が登録された場合に通知を行うよう要求する新規登録監視信号をＳＩＰサーバ２０へ送信する（ステップＳ１０５）。ＳＩＰサーバ２０は、ＥＰＣＩＳサーバ１０のアドレスを内部に登録する（ステップＳ１１０）。
一方、Ｓａｖａｎｔサーバ３０がネットワークＮへ接続されたことを契機に、Ｓａｖａｎｔサーバ３０はＳＩＰサーバ２０へ位置情報登録信号を送信する（ステップＳ１１５）。ＳＩＰサーバ２０は、Ｓａｖａｎｔサーバ３０の正当性を確認し、正当であると判断した場合は、Ｓａｖａｎｔサーバ３０のアドレスを内部に登録するとともに（ステップＳ１２０）、該アドレスを位置情報通信号によりＥＰＣＩＳサーバ１０へ通知する（ステップＳ１２５）。ＥＰＣＩＳサーバ１０は、Ｓａｖａｎｔサーバ３０のアドレスを用いたインスタンスを生成し、Ｓａｖａｎｔサーバ登録のＰｌｕｇ＆Ｐｌａｙを可能とする。具体的には、ＥＰＣＩＳサーバ１０は、位置情報通信号に含まれる正当なＳａｖａｎｔサーバ３０のＩＰアドレス、ドメイン名、ＭＡＣ（Media Access Control）アドレスなどのアドレス情報により、インスタンスを生成する。さらに、ＳＩＰサーバ２０は、ＥＰＣＩＳサーバ１０のアドレスをＳａｖａｎｔサーバ３０へ通知する（ステップＳ１３０）。
【００２１】
ＩＣタグリーダ５０は、モノに貼付されたＩＣタグ４０からＥＰＣを含む情報を読取り（ステップＳ１３５）、この読取った情報を含むタグ読取り情報をＳａｖａｎｔサーバ３０へ通知する（ステップＳ１４０）。ＥＰＣとは、モノに個々に割り当てられたユニークな番号であり、モノを一意に識別する。タグ読取り情報には、ユーザがＩＣタグリーダ５０に入力したイベントの情報なども含まれる。Ｓａｖａｎｔサーバ３０は、ＯＮＳサーバ６０へアクセスしてＥＰＣを送信し、ＯＮＳサーバ６０は、ＥＰＣに対応したタグ情報を保持するＥＰＣＩＳサーバ１０のＩＰアドレスを返送する（ステップＳ１４５）。Ｓａｖａｎｔサーバ３０は、ＯＮＳサーバ６０から取得したＩＰアドレスを用い、ネットワークＮを経由してＥＰＣＩＳサーバ１０へアクセスし、ＩＣタグリーダ５０から受信したタグ読取り情報を通知する（ステップＳ１５０）。ＥＰＣＩＳサーバ１０は、タグ読取り情報を通知したＳａｖａｎｔサーバ３０のアドレスによるインスタンスが生成されている場合に、受信したタグ読取り情報を用いて内部に記憶しているタグ情報を更新する。タグ情報とは、タグに関する情報、すなわち、タグが貼付されたモノに関する情報であり、例えば、製造や流通に関する情報を示す。ＥＰＣＩＳサーバ１０は、タグ読取り情報に含まれるイベント、例えば、入庫、出庫などの情報、Ｓａｖａｎｔサーバ３０により特定される位置の情報、例えば、Ａ倉庫、Ｂ店舗などをタグ情報に書き込む。なお、ＥＰＣＩＳサーバ１０は、インスタンス未生成のＳａｖａｎｔサーバ３０（のアドレス）から受信した信号は廃棄する。
【００２２】
上述するように、本実施の形態によるＥＰＣ情報管理システムは、ＳＩＰサーバ２０のような呼制御プロトコルを有するサーバと連携することにより、ＥＰＣＩＳサーバ１０においてＳａｖａｎｔサーバ３０の正当性を確認することを可能とする。このように、ＳＩＰサーバ２０を利用することにより、ＥＰＣＩＳサーバ１０における運用コストの低減が可能となるとともに、ＳＩＰサーバ２０側の認証機能により保証されたＳａｖａｎｔサーバ３０だけの利用が可能となる。なお、従来、ＳＩＰサーバ配下には呼制御プロトコルによる音声通信・映像通信を可能とするためのＶｏＩＰ（Voice over IP）端末（UserAgent）が接続されており、ＥＰＣＩＳサーバ連携を行う形態は存在しない。ＳＩＰサーバ２０は、同時に、ネットワークを介して接続されるＶｏＩＰ端末（図示せず）へ呼制御を提供するものであってもよい。
【００２３】
なお、ＥＰＣＩＳサーバ１０において、予め対向するＳａｖａｎｔサーバ３０が判明している場合、対向するＳａｖａｎｔサーバ３０対応のインスタンスを生成しておくことで、不正なＳａｖａｎｔサーバ３０からの情報送信をブロック（廃棄）する。
なお、新規登録監視信号、位置情報登録信号、位置情報通知信号、及び、ＥＰＣＩＳサーバアドレス通知は、ＳＩＰプロトコルの位置登録手順の信号である。本実施の形態によるＥＰＣ情報管理システムは、ＶｏＩＰの呼制御プロトコルのようなセッション交換は行わず、タグ読取り情報の通知には、ＨＴＴＰ（Hypertext Transfer Protocol）／ＨＴＴＰライクな簡易な従来のプロトコルを適用する。
【００２４】
次に各装置等の構成について説明する。
ＩＣタグ４０は、例えば、ＲＦＩＤ（Radio Frequency Identification）などの無線タグであり、製品や商品・荷物の梱包材などのモノに貼付あるいは内蔵される。無線周波数を通信に利用するＩＣタグは、データ記録用のメモリと、データの処理回路、データを無線周波数で搬送するためのアンテナとを備える。ＩＣタグ４０は、データ記録用のメモリにＩＣタグを一意に識別するＩＤなどの情報を記憶する。ここでは、ＩＤとしてＥＰＣを用いる。
ＩＣタグリーダ５０は、無線によりＩＣタグ４０と通信し、ＩＣタグ４０内の情報の読書きを行う。そして、ＩＣタグ４０から読取った情報、ユーザがＩＣタグリーダ５０に入力した情報などを含むタグ読取り情報をＳａｖａｎｔサーバ３０へ通知する。
ＯＮＳサーバ６０は、タグ情報を保持するＥＰＣＩＳサーバ１０のアドレス情報と、ＥＰＣとを対応づけて記憶する。ＯＮＳサーバ６０は、Ｓａｖａｎｔサーバ３０からＥＰＣを受信し、受信したＥＰＣに対応するＥＰＣＩＳサーバ１０のアドレス情報を返送する。
【００２５】
図３は、ＥＰＣＩＳサーバ１０の内部構成を示すブロック図であり、本発明と関係する機能ブロックのみ抽出して示してある。
ＥＰＣＩＳサーバ１０は、通信制御部１１、ＳＩＰ通信制御部１２（新規登録監視送信手段、登録通知受信手段）、Ｓａｖａｎｔ管理部１３、Ｓａｖａｎｔ通信制御部１４（読取り情報受信手段）、メッセージ出力部１５、タグ情報管理部１６及びタグ情報記憶部１７（情報記憶手段）を備える。
【００２６】
通信制御部１１は、ＳＩＰ通信制御部１２の制御と、従来と同様のＳａｖａｎｔ通信制御部１４の制御とを行う。通信制御部１１は、連携すべきＳＩＰサーバ２０のアドレス情報を記憶する。
ＳＩＰ通信制御部１２は、ネットワークＮを介して、ＳＩＰサーバ２０との間でＳＩＰプロトコルを用いた通信を行う。ＳＩＰ通信制御部１２は、新規登録監視信号をＳＩＰサーバ２０へ送信し、ＳＩＰサーバ２０から位置情報通知信号（登録通知信号）を受信する。
Ｓａｖａｎｔ管理部１３は、ＳＩＰサーバ２０から受信した位置情報通知信号に含まれるＳａｖａｎｔサーバ３０のアドレス情報を用いてインスタンスの生成を行う。また、Ｓａｖａｎｔ管理部１３は、位置情報通知信号がネットワークＮからＳａｖａｎｔサーバ３０の削除を示している場合、該当Ｓａｖａｎｔサーバ３０のアドレス情報により生成したインスタンスの削除を行う。
【００２７】
Ｓａｖａｎｔ通信制御部１４は、ネットワークＮを介して、Ｓａｖａｎｔサーバ３０との間で、従来と同様のプロトコル、例えば、ＨＴＴＰ（Hypertext Transfer Protocol）を用いた通信を行う。Ｓａｖａｎｔ通信制御部１４は、Ｓａｖａｎｔサーバ３０からタグ読取り情報通知信号（読取り情報通知信号）を受信し、未登録、すなわち、インスタンスなしのＳａｖａｎｔサーバ３０からの信号であると判断した場合は、受信した信号を廃棄する。さらに、インスタンス未生成のＳａｖａｎｔサーバ３０からの信号受信時は、メッセージ出力部１５を起動する。
【００２８】
メッセージ出力部１５は、インスタンス未生成のアドレスを有するＳａｖａｎｔサーバ３０からの信号を受信した場合、不正アクセスとしてディスプレイなどにメッセージを出力する。タグ情報記憶部１７は、ＥＰＣと、タグ情報とを関連させて記憶する。タグ情報管理部１６は、正当なＳａｖａｎｔサーバ３０から受信したタグ読取り情報通知信号内のタグ読取り情報を用いて、タグ情報記憶部１７内のタグ情報の情報処理を行う。
【００２９】
図４は、ＳＩＰサーバ２０の内部構成を示すブロック図であり、本発明と関係する機能ブロックのみ抽出して示してある。
ＳＩＰサーバ２０は、端末管理部２１（管理情報記憶手段）、ＳＩＰ通信制御部２２（新規登録監視受信手段、登録受信手段、登録通知送信手段）、位置情報管理部２３を備える。
【００３０】
端末管理部２１は、登録・更新・削除を行う対象、すなわち正当なＳＩＰクライアント端末（ＥＰＣＩＳサーバ１０、Ｓａｖａｎｔサーバ３０）の情報、提供サービスの情報などの管理情報を内部に記憶し、保守者がキーボードなどの入力手段により投入するコマンド等により管理情報の管理を行う。
ＳＩＰ通信制御部２２は、ネットワークＮを介して、ＳＩＰクライアント端末との間で、ＳＩＰプロトコルを使用したクライアント〜サーバ間通信を行う。ＳＩＰ通信制御部２２は、ＥＰＣＩＳサーバ１０から新規登録監視信号を受信するとともに、ＥＰＣＩＳサーバ１０へ位置情報通知信号を送信する。また、Ｓａｖａｎｔサーバ３０から位置情報登録信号（登録信号）を受信するとともに、Ｓａｖａｎｔサーバ３０へＥＰＣＩＳサーバアドレス通知信号を送信する。ただし、ＳＩＰ通信制御部２２は、ＳＩＰ通信制御部２２によりコマンド登録された管理情報を参照し、位置情報登録信号を送信したＳａｖａｎｔサーバ３０が正当であると判断した場合にのみ、登録を許可する。
位置情報管理部２３は、ＳＩＰクライアントから受信した位置情報登録信号により通知される端末情報を管理する。端末情報には、ＳＩＰクライアントのアドレス情報などが含まれる。この端末情報は、ＳＩＰ通信制御部２２及び位置情報管理部２３に利用される。
【００３１】
図５は、Ｓａｖａｎｔサーバ３０の内部構成を示すブロック図であり、本発明と関係する機能ブロックのみ抽出して示してある。
Ｓａｖａｎｔサーバ３０は、通信制御部３１、ＳＩＰ通信制御部３２（登録送信手段）、サーバ管理部３３、ＩＣタグリーダ制御部３４、及び、ＥＰＣＩＳ通信制御部３５（読取り情報送信手段）を備える。
【００３２】
通信制御部３１は、ＳＩＰ通信制御部３２の制御と、従来と同様のＥＰＣＩＳ通信制御部３５の制御とを行う。また、通信制御部３１は、連携すべきＳＩＰサーバ２０のアドレス情報を記憶する。
ＳＩＰ通信制御部３２は、ネットワークＮを介して、ＳＩＰサーバ２０との間でＳＩＰプロトコルを用いた通信を行う。ＳＩＰ通信制御部３２は、ＳＩＰサーバ２０へ位置情報通知信号を送信するとともに、ＳＩＰサーバ２０からＥＰＣＩＳサーバアドレス通知信号を受信する。
【００３３】
サーバ管理部３３は、ＳＩＰサーバ２０から受信したＥＰＣＩＳサーバアドレス通知信号に含まれるＥＰＣＩＳサーバ１０のアドレス情報を内部に記憶し、タグ読取り情報受信時に当該アドレス情報を宛先に用いたタグ読取り情報通知信号の送信をＥＰＣＩＳ通信制御部３５へ指示する。
ＩＣタグリーダ制御部３４は、ＩＣタグリーダ５０との間の通信を行う。ＩＣタグリーダ制御部３４は、ＩＣタグリーダ５０から受信したタグ読取り情報を、通信制御部３１を介してＥＰＣＩＳ通信制御部３５へ通知する。
ＥＰＣＩＳ通信制御部３５は、ネットワークＮを介して、ＥＰＣＩＳサーバ１０との間で、従来のプロトコルを用いた通信を行う。ＥＰＣＩＳ通信制御部３５は、ＩＣタグリーダ制御部３４から通知されたタグ読取り情報を含むタグ読取り情報通知信号をＳａｖａｎｔサーバ３０へ送信する。
【００３４】
次に、ＥＰＣ情報管理システムの動作手順について説明する。
図６は、ＥＰＣ情報管理システムにおけるＳａｖａｎｔサーバ位置登録の信号処理手順を示す図である。なお、信号名に続く括弧書きは、ＳＩＰプロトコル、あるいは、ＨＴＴＰプロトコルの信号名を示す。
まず、ユーザは、コマンド投入等により、正当なＳａｖａｎｔサーバ３０のアドレス情報を含む管理情報をＳＩＰサーバ２０の端末管理部２１内部に登録しておく。
ＥＰＣＩＳサーバ１０のＳＩＰ通信制御部１２は、ＳＩＰサーバ２０へＳａｖａｎｔサーバ３０から位置情報登録信号（REGISTER）を受信した場合に通知を行うよう要求するために、新規登録監視信号（SUBSCRIBE）をＳＩＰサーバ２０へ送信する（ステップＳ２０５）。新規登録監視信号（SUBSCRIBE）は、ＳＩＰプロトコルの信号であり、位置情報通知信号の通知先としての自ＥＰＣＩＳサーバ１０のアドレス情報が含まれる。アドレス情報には、例えば、ＩＰアドレスが用いられるが、他のアドレス体系を用いてもよい。ＳＩＰサーバ２０のＳＩＰ通信制御部２２が新規登録監視信号（SUBSCRIBE）を受信すると、位置情報管理部２３は、当該信号に含まれるＥＰＣＩＳサーバ１０のアドレス情報を内部に記憶する。そして、ＳＩＰサーバ２０のＳＩＰ通信制御部２２は、アドレス情報の登録が成功するとTrueを、失敗するとFalseをＥＰＣＩＳサーバ１０へ返送する。
【００３５】
Ｓａｖａｎｔサーバ３０のＳＩＰ通信制御部３２は、ネットワークに新規に接続して情報管理システムに参加するときに、位置登録するため、位置情報登録信号（REGISTER）をＳＩＰサーバ２０へ送信する（ステップＳ２１０）。位置情報登録信号（REGISTER）は、ＳＩＰプロトコルの信号であり、位置登録するアドレスとして自Ｓａｖａｎｔサーバ３０のアドレス情報が含まれる。アドレス情報には、例えば、ＩＰアドレスが用いられるが、他のアドレス体系を用いてもよい。ＳＩＰサーバ２０のＳＩＰ通信制御部２２は、位置情報登録信号（REGISTER）を受信すると、当該信号に含まれるＳａｖａｎｔサーバ３０のアドレス情報が、予め端末管理部２１内に記憶しておいた管理情報に、正当な、すなわち、位置登録を許可するＳａｖａｎｔサーバ３０のアドレス情報として含まれているかを判断し、含まれている場合は正当なＳａｖａｎｔサーバ３０であると判断する。
【００３６】
ＳＩＰサーバ２０のＳＩＰ通信制御部２２は、正当なＳａｖａｎｔサーバ３０であると判断した場合、Ｓａｖａｎｔサーバ３０から位置情報登録信号（REGISTER）を受信したことをＥＰＣＩＳサーバ１０へ通知するため、位置情報通知信号（NOTIFY）をＥＰＣＩＳサーバ１０へ送信する（ステップＳ２１５）。位置情報通知信号（NOTIFY）は、ＳＩＰプロトコルの信号であり、ステップ２０５において位置情報管理部２３内に登録されたＥＰＣＩＳサーバ１０のアドレス情報を宛先とし、位置登録するアドレス情報が含まれる。位置登録するアドレス情報には、ステップＳ２１０において受信した位置情報登録信号（REGISTER）内のＳａｖａｎｔサーバ３０のアドレス情報が設定される。
ＥＰＣＩＳサーバ１０のＳＩＰ通信制御部１２が位置情報通知信号（NOTIFY）を受信すると、Ｓａｖａｎｔ管理部１３は、当該信号内のＳａｖａｎｔサーバ３０のアドレス情報を用いてインスタンスを生成し、タグ読取り情報通知信号の準備を行う。
【００３７】
ＳＩＰサーバ２０のＳＩＰ通信制御部２２は、ＥＰＣＩＳサーバ１０へ位置情報通知信号（NOTIFY）を送信すると、位置情報登録信号（REGISTER）の送信元のＳａｖａｎｔサーバ３０へ、ＥＰＣＩＳサーバアドレス通知信号（200 OK）を送信する（ステップＳ２２０）。ＥＰＣＩＳサーバアドレス通知信号（200 OK）は、ＳＩＰプロトコルの信号であり、ステップＳ２１５において位置情報通知信号（NOTIFY）を送信したＥＰＣＩＳサーバ１０のアドレス情報が含まれる。ＥＰＣＩＳサーバアドレス通知信号（200 OK）の送信後、ＳＩＰサーバ２０の位置情報管理部２３は、ステップＳ２１０において受信した位置情報登録信号（REGISTER）内のＳａｖａｎｔサーバ３０のアドレス情報により特定される端末情報に、位置登録が完了した旨を書き込む。
【００３８】
Ｓａｖａｎｔサーバ３０は、位置情報通知信号（NOTIFY）により、イベントが発生したときにタグ読取り情報を通知すべきＥＰＣＩＳサーバ１０のアドレス情報を入手する。すなわち、Ｓａｖａｎｔサーバ３０のＳＩＰ通信制御部３２がＥＰＣＩＳサーバアドレス通知信号（200 OK）を受信すると、サーバ管理部３３は、当該信号内に含まれるＥＰＣＩＳサーバ１０のアドレス情報を内部に記憶する。
【００３９】
Ｓａｖａｎｔサーバ３０のＩＣタグリーダ制御部３４が、ＩＣタグリーダ５０からタグ読取り情報を受信すると、ＥＰＣＩＳ通信制御部３５は、ＯＮＳサーバ６０からタグ情報を保持するＥＰＣＩＳサーバ１０のＩＰアドレスを読み出す。Ｓａｖａｎｔサーバ３０のＥＰＣＩＳ通信制御部３５は、ＯＮＳサーバ６０から受信したＩＰアドレスが、サーバ管理部３３内部に記憶しているＥＰＣＩＳサーバ１０のアドレス情報に含まれるかを判断する。受信したＩＰアドレスが、内部に記憶しているＥＰＣＩＳサーバ１０のアドレス情報に含まれると判断した場合、ＥＰＣＩＳ通信制御部３５は、受信したＩＰアドレスを宛先として、ＥＰＣＩＳサーバ１０へタグ読取り情報通知信号（POST）を送信する（ステップＳ２２５）。タグ読取り情報通知信号（POST）は、ＥＰＣＩＳサーバ１０とＳａｖａｎｔサーバ３０との間で従来使用していたＨＴＴＰまたはＨＴＴＰライクなプロトコルの信号であり、ＩＣタグリーダ５０から受信したタグ読取り情報が含まれる。
【００４０】
ＥＰＣＩＳサーバ１０のＳａｖａｎｔ通信制御部１４は、受信したタグ読取り情報通知信号（POST）の送信元アドレス情報に設定されているＳａｖａｎｔサーバ３０のアドレス情報を用いたインスタンスが内部に生成されている場合、正当なＳａｖａｎｔサーバ３０からのタグ読取り情報通知信号（POST）であると判断する。正当なＳａｖａｎｔサーバ３０からのタグ読取り情報通知信号（POST）であると判断した場合、タグ情報管理部１６は、Ｓａｖａｎｔサーバ３０から受信したタグ読取り情報通知信号（POST）内のタグ読取り情報によりタグ情報記憶部１７内に記憶しているタグ情報を更新する。一方、受信したタグ読取り情報通知信号（POST）内の送信元のアドレス情報により示されるアドレスのインスタンスが内部に生成されていない場合、Ｓａｖａｎｔ通信制御部１４は、受信したタグ読取り情報通知信号（POST）を廃棄する。
【００４１】
図７は、ＥＰＣ情報管理システムにおける位置登録解除の信号処理手順を示す図である。
Ｓａｖａｎｔサーバ３０のＳＩＰ通信制御部３２は、情報管理システムから離脱するときに、位置登録の解除を行うため、位置情報登録解除信号（Un-REGISTER）をＳＩＰサーバ２０へ送信する（ステップＳ３０５）。位置情報登録解除信号（Un-REGISTER）は、ＳＩＰプロトコルの信号であり、位置登録を解除するアドレスとして自Ｓａｖａｎｔサーバ３０のアドレス情報が含まれる。ＳＩＰサーバ２０のＳＩＰ通信制御部２２が位置情報登録解除信号（Un-REGISTER）を受信すると、当該信号に含まれるＳａｖａｎｔサーバ３０のアドレス情報が、予め端末管理部２１内に記憶しておいた管理情報に、正当な、すなわち、位置登録の解除を許可するＳａｖａｎｔサーバ３０のアドレス情報として含まれているかを判断し、含まれている場合は正当なＳａｖａｎｔサーバ３０であると判断する。正当なＳａｖａｎｔサーバ３０であると判断された場合、ＳＩＰサーバ２０の位置情報管理部２３は、受信した位置情報登録解除信号（Un-REGISTER）内のＳａｖａｎｔサーバ３０のアドレス情報で特定される端末情報に、位置登録の解除を書き込む。
【００４２】
ＳＩＰサーバ２０のＳＩＰ通信制御部２２は、正当なＳａｖａｎｔサーバ３０であると判断した場合、Ｓａｖａｎｔサーバ３０から位置情報登録解除信号（Un-REGISTER）を受信したことをＥＰＣＩＳサーバ１０へ通知するため、位置情報通知信号（NOTIFY）をＥＰＣＩＳサーバ１０へ送信する（ステップＳ３１０）。位置情報通知信号（NOTIFY）は、ステップ２０５において位置情報管理部２３内に登録されたＥＰＣＩＳサーバ１０のアドレス情報を宛先とし、位置登録を解除するアドレス情報が含まれる。位置登録を解除するアドレス情報には、ステップＳ３０５において受信した位置情報登録解除信号（Un-REGISTER）内のＳａｖａｎｔサーバ３０のアドレス情報が含まれる。ＥＰＣＩＳサーバ１０のＳＩＰ通信制御部１２が位置情報通知信号（NOTIFY）を受信すると、Ｓａｖａｎｔ管理部１３は、当該信号内のＳａｖａｎｔサーバ３０のアドレス情報を用いて生成したインスタンスを終了する。
【００４３】
ＳＩＰサーバ２０のＳＩＰ通信制御部２２は、ＥＰＣＩＳサーバ１０へ位置情報通知信号（NOTIFY）を送信すると、位置情報登録解除信号（Un-REGISTER）の送信元のＳａｖａｎｔサーバ３０へ、ＥＰＣＩＳサーバアドレス通知信号（200 OK）を送信する（ステップＳ３１５）。ＥＰＣＩＳサーバアドレス通知信号（200 OK）は、ステップＳ３１０において位置情報通知信号（NOTIFY）を送信したＥＰＣＩＳサーバ１０のアドレス情報が含まれる。
【００４４】
なお、ＥＰＣＩＳサーバ１０の通信制御部１１及びＳａｖａｎｔサーバ３０の通信制御部３１は、ＳＩＰサーバ２０のアドレス情報として、ＳＩＰサーバ２０のドメイン名やＵＲＩ（Universal Resource Identifier）を保持する場合、ＥＰＣＩＳサーバ１０のＳＩＰ通信制御部１２及びＳａｖａｎｔサーバ３０のＳＩＰ通信制御部３２は、ＳＩＰサーバ２０へ信号を送出する際、ネットワークＮに接続されたＤＮＳ（Domain Name System）サーバ（図示せず）等からＳＩＰサーバ２０のＵＲＩに対応したＩＰアドレスを入手する。
【００４５】
なお、Ｓａｖａｎｔサーバ３０は、位置情報登録信号（REGISTER）の送信により位置登録を実行してから、位置登録の有効期限が満了する前に、再び位置情報登録信号（REGISTER）を送信することを繰り返す。位置登録の有効期限が満了した場合、ＥＰＣＩＳサーバ１０のＳａｖａｎｔ管理部１３は、位置登録の有効期限が満了したＳａｖａｎｔサーバ３０のアドレス情報を用いて生成したインスタンスを終了し、ＳＩＰサーバ２０の位置情報管理部２３は、位置登録の有効期限が満了したＳａｖａｎｔサーバ３０の端末情報に、位置登録の解除を書き込む。
【００４６】
次に、ＥＰＣＩＳサーバ１０とＳＩＰサーバ２０との接続構成について説明する。
図８及び図９は、ＥＰＣＩＳサーバ１０とＳＩＰサーバ２０との接続構成を示す図である。
上記実施の形態においては、図８に示すように、１つのＥＰＣＩＳサーバ１０が、複数ＳＩＰサーバ２０と連携する接続構成を想定している。この構成の場合、１つのＥＰＣＩＳサーバ１０が複数ＳＩＰサーバ２０に対して新規登録監視の要求を行うことにより、各ＳＩＰサーバ２０へ接続されるＳａｖａｎｔサーバ３０の管理を１つのＥＰＣＩＳサーバ１０で行うことが可能となる。
一方、エリア単位に、当該エリアに割り当てられるＳａｖａｎｔサーバ３０のＩＰアドレスと、ＥＰＣＩＳサーバ１０とが決まっている場合、図９に示すように１つのＳＩＰサーバ２０と複数のＥＰＣＩＳサーバ１０とが連携する接続構成も可能となる。すなわち、ＳＩＰサーバ２０が、Ｓａｖａｎｔサーバ３０から位置情報登録信号を受信した場合、Ｓａｖａｎｔサーバ３０のアドレスに対応するＥＰＣＩＳサーバ１０にのみ位置情報通知信号を送信する。Ｓａｖａｎｔサーバ３０へは、位置情報通知信号を送信したＥＰＣＩＳサーバ１０のアドレスをＥＰＣＩＳサーバアドレス通知信号により通知する。
【００４７】
上記実施の形態においては、Ｓａｖａｎｔサーバ３０から送信される位置情報登録信号を契機に、ＥＰＣＩＳサーバ１０においてＳａｖａｎｔサーバ３０の管理を開始する。すなわち、ＳＩＰサーバ２０を利用することにより、ネットワークＮに接続されるＳａｖａｎｔサーバ３０を全てＳＩＰサーバ２０側で管理させ、ＥＰＣＩＳサーバ１０は、ＳＩＰサーバ２０から通知された正当なＳａｖａｎｔサーバ３０のアドレス情報からインスタンス生成するのみでよい。従って、ＥＰＣＩＳサーバ１０は、ＳＩＰサーバ２０において保証されたＳａｖａｎｔサーバ３０から受信したタグ読取り情報のみを正当な情報として扱うことができる。これにより、ＥＰＣＩＳサーバにおいて予めＳａｖａｎｔサーバのアドレスを登録し、インスタンス生成することにより、正当なＳａｖａｎｔサーバからのタグ読取り情報通知信号の受信を可能とする方法や、セッション管理を利用して認証等を行う従来の手順を用いるよりも、簡易な手順によりＳａｖａｎｔサーバ３０の正当性を認識できるとともに、システム構成の変更にも柔軟に対応できる。また、ＳＩＰプロトコルを用いた信号は、ＥＰＣＩＳサーバ１０におけるインスタンス生成用のためだけに使用し、以降、タグ情報の情報処理を行うためのメッセージの交換は、従来のプロトコルを活用することで、既存のＳａｖａｎｔサーバの活用が促進可能となる。
また、ＳＩＰサーバ２０配下のＳａｖａｎｔサーバ３０のＩＰアドレスが、エリア毎に異なっている場合、各ＥＰＣＩＳサーバ１０においてＩＰアドレスを限定した登録監視を行うことができるため、ターゲットとなるＳａｖａｎｔサーバ３０を監視するＥＰＣＩＳサーバ１０を絞ることが可能となる。
【００４８】
上記実施の形態によれば、Ｓａｖａｎｔサーバ３０の認証動作を可能とするためのサーバ連携を行うことにより、ＥＰＣＩＳサーバ１０においてプロトコルを意識しないＰｌｕｇ＆Ｐｌａｙを可能とし、更には保守運用の稼動削減に繋がる。また、ＶｏＩＰにおいて標準化が進められているＳＩＰプロトコルの利用、及び、既存のＳＩＰサーバとの連携により、ＥＰＣＩＳサーバ１０は、特有手順を使用せず、ＳＩＰプロトコルを利用したＰｌｕｇ＆Ｐｌａｙが可能となる。なお、ＳＩＰプロトコルの代わりに、セッション情報の交換を必要としない他のプロトコルを用いることも可能である。
【００４９】
なお、上述のＥＰＣＩＳサーバ１０、ＳＩＰサーバ２０、Ｓａｖａｎｔサーバ３０、ＩＣタグリーダ５０、及び、ＯＮＳサーバ６０は、内部にコンピュータシステムを有している。そして、上述したＥＰＣＩＳサーバ１０、ＳＩＰサーバ２０、Ｓａｖａｎｔサーバ３０、ＩＣタグリーダ５０、及び、ＯＮＳサーバ６０の動作の過程は、プログラムの形式でコンピュータ読取り可能な記録媒体に記憶されており、このプログラムをコンピュータシステムが読み出して実行することによって、上記処理が行われる。ここでいうコンピュータシステムとは、ＯＳや周辺機器等のハードウェアを含むものである。
【００５０】
また、「コンピュータ読取り可能な記録媒体」とは、ＲＯＭの他に、磁気ディスク、光磁気ディスク、ＣＤ−ＲＯＭ、ＤＶＤ−ＲＯＭ等の可搬媒体、コンピュータシステムに内蔵されるハードディスク等の記憶装置のことをいう。さらに「コンピュータ読取り可能な記録媒体」とは、インターネット等のネットワークや電話回線等の通信回線を介してプログラムが送信された場合のシステムやクライアントとなるコンピュータシステム内部の揮発性メモリ（ＲＡＭ）のように、一定時間プログラムを保持しているものも含むものとする。
【００５１】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００５２】
【図１】本発明の一実施の形態による情報管理システムとしてのＥＰＣ情報管理システムの全体構成を示す図である。
【図２】同実施の形態によるＥＰＣ情報管理システムの動作概要を示す図である。
【図３】同実施の形態によるＥＰＣＩＳサーバの内部構成を示すブロック図である。
【図４】同実施の形態によるＳＩＰサーバの内部構成を示すブロック図である。
【図５】同実施の形態によるＳａｖａｎｔサーバの内部構成を示すブロック図である。
【図６】同実施の形態によるＥＰＣ情報管理システムの信号処理手順を示す図である。
【図７】同実施の形態によるＥＰＣ情報管理システムの信号処理手順を示す図である。
【図８】同実施の形態によるＥＰＣＩＳサーバとＳＩＰサーバとの接続構成を示す図である。
【図９】同実施の形態によるＥＰＣＩＳサーバとＳＩＰサーバとの接続構成を示す図である。
【図１０】従来のＥＰＣ情報管理システムの全体構成及び動作概要を示す図である。
【符号の説明】
【００５３】
１０…ＥＰＣＩＳサーバ（情報蓄積装置）
１１…通信制御部
１２…ＳＩＰ通信制御部（新規登録監視送信手段、登録通知受信手段）
１３…Ｓａｖａｎｔ管理部
１４…Ｓａｖａｎｔ通信制御部（読取り情報受信手段）
１５…メッセージ出力部
１６…タグ情報管理部
１７…タグ情報記憶部（情報記憶手段）
２０…ＳＩＰサーバ（登録管理装置）
２１…端末管理部（管理情報記憶手段）
２２…ＳＩＰ通信制御部（新規登録監視受信手段、登録受信手段、登録通知送信手段）
２３…位置情報管理部
３０…Ｓａｖａｎｔサーバ（情報処理要求装置）
３１…通信制御部
３２…ＳＩＰ通信制御部（登録送信手段）
３３…サーバ管理部
３４…ＩＣタグリーダ制御部
３５…ＥＰＣＩＳ通信制御部（読取り情報送信手段）
４０…ＩＣタグ（情報記録媒体）
５０…ＩＣタグリーダ
６０…ＯＮＳサーバ
【図１】
2006331195.tif 000003
【図２】
2006331195.tif 000004
【図３】
2006331195.tif 000005
【図４】
2006331195.tif 000006
【図５】
2006331195.tif 000007
【図６】
2006331195.tif 000008
【図７】
2006331195.tif 000009
【図８】
2006331195.tif 000010
【図９】
2006331195.tif 000011
【図１０】
2006331195.tif 000012